(57)【要約】【課題】三相モータの駆動電源である直流電源を使用して、単相交流電源を造る場合に、専用のインバータを不要にしてコスト低減を図ることができる交流電源回路を提供する。【解決手段】交流電源回路は、直流電源１０と、モータコイルＬｕ、Ｌｖ、Ｌｗを有する三相モータ３０と、三相インバータ２０、切換部８０と、制御部９０を有する。制御部９０は、三相モータ駆動可能状態のときは、三相インバータ２０を制御して、直流電力を三相交流電力に変換して三相モータ３０を回転させ、単相交流電力出力可能状態のときは、三相インバータ２０を制御して、直流電力を単相交流電力に変換して出力端子Ｔ３から単相交流電力を出力制御する。【選択図】図１
2017112686.tif 000002
【特許請求の範囲】
【請求項１】
直流電源と、
各相のモータコイルを有する三相モータと、
前記直流電源と前記三相モータとの間に接続された三相インバータと、
前記三相モータの各モータコイルをＹ結線に切換える三相モータ駆動可能状態と、前記三相モータの各モータコイルのうち、二相のモータコイルを一対の出力端子へそれぞれ接続して単相交流電力出力可能状態に切換える切換部と、
前記切換部が三相モータ駆動可能状態に切換えているときは、前記三相インバータを制御して、直流電力を三相交流電力に変換して前記三相モータを回転させ、前記切換部が単相交流電力出力可能状態に切換えているときは、前記三相インバータを制御して、前記直流電力を単相交流電力に変換して前記出力端子から前記単相交流電力を出力制御する制御部を備えた交流電源回路。
【請求項２】
直流電源と、
各相のモータコイルを有する三相モータと、
前記直流電源と前記三相モータとの間に接続された三相インバータと、
前記三相モータの各モータコイルをデルタ結線に切換える三相モータ駆動可能状態と、
前記三相モータの各モータコイルのうち、一相のモータコイルと、前記三相インバータに含まれるスイッチング素子のフルブリッジ回路とを一対の出力端子へそれぞれ接続して単相交流電力出力可能状態に切換える切換部と、
前記切換部が三相モータ駆動可能状態に切換えているときは、前記三相インバータを制御して、直流電力を三相交流電力に変換して前記三相モータを回転させ、前記切換部が単相交流電力出力可能状態に切換えているときは、前記三相インバータの前記フルブリッジ回路を制御して、前記直流電力を単相交流電力に変換して前記出力端子から前記単相交流電力を出力制御する制御部を備えた交流電源回路。
【請求項３】
前記切換部と出力端子間にはコンデンサが並列接続され、該コンデンサと、前記三相モータの二相のモータコイルにて、フィルタが構成されている請求項１または請求項２に記載の交流電源回路。
【発明の詳細な説明】
【技術分野】
【０００１】
本発明は、交流電源回路に関する。
【背景技術】
【０００２】
三相モータの駆動電源を直流電源にする場合、特許文献１、特許文献２に示すように、三相インバータにより、直流電源の直流電力を三相交流電力に変換して、三相モータを駆動する。
【０００３】
一方、同じ直流電源を使用して、単相交流電源（例えば、ＡＣ１００Ｖ）を造る場合には、そのための単相交流電源装置４０を付設している。
従来の単相交流電源装置４０を、直流電源、三相インバータ、三相モータに付設する例を説明する。図５、図６は、直流電源１０、三相インバータ２０、三相モータ３０の回路構成に対して単相交流電源装置４０を接続した例である。図５はモータコイルＬがＹ結線された三相モータ３０の例であり、図６はモータコイルＬがデルタ結線された三相モータ３０の例である。
【０００４】
図５、図６に示すように、単相交流電源装置４０は、直流電力を単相交流電力に変換する単相インバータ５０と、該単相インバータ５０と端子Ｔ１、Ｔ２間に設けられたフィルタ６０とを有している。フィルタ６０は、コイルＬ１、Ｌ２、及びコンデンサＣとから構成されている。単相インバータ５０の一対の入力端子は、直流電源１０のプラス端子、マイナス端子にそれぞれ接続され、一方、単相交流電源装置４０の端子Ｔ１、Ｔ２は、電気的負荷７０に接続されている。
【先行技術文献】
【特許文献】
【０００５】
【特許文献１】特開平１０−１９１５０１号公報
【特許文献２】特開２００３−７９１５３号公報
【発明の概要】
【発明が解決しようとする課題】
【０００６】
ところで、上記のように、三相モータの駆動電源である直流電源を使用して、単相交流電源を造る場合には、従来は単相交流電源装置を必要としている。このため、従来は、単相交流電源装置用の単相インバータを必要とし、コスト高となる問題がある。
【０００７】
本発明の目的は、三相モータの駆動電源である直流電源を使用して、単相交流電源を造る場合に、専用のインバータを不要にしてコスト低減を図ることができる交流電源回路を提供することにある。
【課題を解決するための手段】
【０００８】
上記問題点を解決するために、本発明の交流電源回路は、直流電源と、各相のモータコイルを有する三相モータと、前記直流電源と前記三相モータとの間に接続された三相インバータと、前記三相モータの各モータコイルをＹ結線に切換える三相モータ駆動可能状態と、前記三相モータの各モータコイルのうち、二相のモータコイルを一対の出力端子へそれぞれ接続して単相交流電力出力可能状態に切換える切換部と、前記切換部が三相モータ駆動可能状態に切換えているときは、前記三相インバータを制御して、直流電力を三相交流電力に変換して前記三相モータを回転させ、前記切換部が単相交流電力出力可能状態に切換えているときは、前記三相インバータを制御して、前記直流電力を単相交流電力に変換して前記出力端子から前記単相交流電力を出力制御する制御部を備えている。
【０００９】
また、本発明の交流電源回路は、直流電源と、各相のモータコイルを有する三相モータと、前記直流電源と前記三相モータとの間に接続された三相インバータと、前記三相モータの各モータコイルをデルタ結線に切換える三相モータ駆動可能状態と、前記三相モータの各モータコイルのうち、一相のモータコイルと、前記三相インバータに含まれるスイッチング素子のフルブリッジ回路とを一対の出力端子へそれぞれ接続して単相交流電力出力可能状態に切換える切換部と、前記切換部が三相モータ駆動可能状態に切換えているときは、前記三相インバータを制御して、直流電力を三相交流電力に変換して前記三相モータを回転させ、前記切換部が単相交流電力出力可能状態に切換えているときは、前記三相インバータの前記フルブリッジ回路を制御して、前記直流電力を単相交流電力に変換して前記出力端子から前記単相交流電力を出力制御する制御部を備えていてもよい。
【００１０】
また、前記切換部と出力端子間にはコンデンサが並列接続され、該コンデンサと、前記三相モータの二相のモータコイルにて、フィルタが構成されていてもよい。
【発明の効果】
【００１１】
本発明によれば、三相モータの駆動電源である直流電源を使用して、単相交流電源を造る場合に、専用のインバータを不要にしてコスト低減を図ることができる。
【図面の簡単な説明】
【００１２】
【図１】第１実施形態の交流電源回路の回路図。
【図２】第１実施形態の作用を説明するための回路図。
【図３】第２実施形態の交流電源回路の回路図。
【図４】第２実施形態の作用を説明するための回路図。
【図５】直流電源、三相インバータ、三相モータの回路構成に単相交流電源装置を付設した従来例の回路図。
【図６】直流電源、三相インバータ、三相モータの回路構成に単相交流電源装置を付設した他の従来例の回路図。
【発明を実施するための形態】
【００１３】
以下、本発明の交流電源回路を具体化した第１実施形態について図１、図２を参照して説明する。なお、従来例の構成と同一構成または相当する構成について同一符号を付す。
図１に示すように、交流電源回路は、直流電源１０、三相インバータ２０、三相モータ３０、切換部８０及び制御部９０を備えている。
【００１４】
直流電源１０は、本実施形態ではバッテリＢからなるが、直流電源１０の構成は、バッテリＢに、所定電圧まで昇圧する昇圧回路を含んでいてもよい。
三相インバータ２０は、直流電源１０の端子Ｔ１、Ｔ２に接続された直流電源線ＬＨ、直流電源線ＬＬを有する。
【００１５】
三相インバータ２０は６つのスイッチング素子Ｓｕｐ，Ｓｖｐ，Ｓｗｐ，Ｓｕｎ，Ｓｖｎ，Ｓｗｎを含む。スイッチング素子Ｓｕｐ，Ｓｖｐ，Ｓｗｐ，Ｓｕｎ，Ｓｖｎ，Ｓｗｎは、本実施形態では、ＭＯＳＦＥＴにて構成されているが、ＭＯＳＦＥＴに限定するものではなく、ＩＧＢＴ（Insulated Gate Bipolor Transistor，絶縁ゲート型バイポーラ・トランジスタ）、ＧＴＯ、バイポーラトランジスタ等にて構成してもよい。
【００１６】
また、スイッチング素子Ｓｕｐ及びスイッチング素子Ｓｕｎのペア、スイッチング素子Ｓｖｐ及びスイッチング素子Ｓｖｎのペア、並びにスイッチング素子Ｓｗｐ及びスイッチング素子Ｓｗｎのペアは、三相インバータ２０のアームをそれぞれ構成する。
【００１７】
前記スイッチング素子Ｓｕｐ，Ｓｖｐ，Ｓｗｐはそれぞれ出力端Ｐｕ，Ｐｖ，Ｐｗと直流電源線ＬＨとの間に接続され、スイッチング素子Ｓｕｎ，Ｓｖｎ，Ｓｗｎはそれぞれ出力端Ｐｕ，Ｐｖ，Ｐｗと直流電源線ＬＬとの間に接続される。
【００１８】
そして、三相インバータ２０は、電圧形インバータを構成し、６つのフライホイールダイオードＤｕｐ，Ｄｖｐ，Ｄｗｐ，Ｄｕｎ，Ｄｖｎ，Ｄｗｎを含む。フライホイールダイオードＤｕｐ，Ｄｖｐ，Ｄｗｐ，Ｄｕｎ，Ｄｖｎ，Ｄｗｎは、いずれもそのカソードを直流電源線ＬＨ側に、そのアノードを直流電源線ＬＬ側に向けて配置されている。
【００１９】
前記フライホイールダイオードＤｕｐは、出力端Ｐｕと直流電源線ＬＨとの間で、スイッチング素子Ｓｕｐと並列に接続されている。同様にして、フライホイールダイオードＤｖｐ，Ｄｗｐ，Ｄｕｎ，Ｄｖｎ，Ｄｗｎは、それぞれスイッチング素子Ｓｖｐ，Ｓｗｐ，Ｓｕｎ，Ｓｖｎ，Ｓｗｎと並列に接続されている。
【００２０】
三相インバータ２０は、スイッチング素子Ｓｕｐ，Ｓｖｐ，Ｓｗｐ，Ｓｕｎ，Ｓｖｎ，Ｓｗｎのオンオフにより、直流電源線ＬＨ，ＬＬの間の直流電圧を交流電圧に変換して出力端Ｐｕ，Ｐｖ，Ｐｗに出力する。
【００２１】
三相モータ３０は、モータコイルＬｕ、Ｌｖ、Ｌｗを備えている。モータコイルＬｕ、Ｌｖ、Ｌｗの入力端は、出力端Ｐｕ，Ｐｖ，Ｐｗにそれぞれ接続されている。
切換部８０は、切換スイッチＳｕ、Ｓｖ，Ｓｗを備えている。切換スイッチＳｕ、Ｓｖは、共通接点ｃ、ブレーク接点ｂ及びメーク接点ａをそれぞれ備え、切換スイッチＳｗは、ブレーク接点ｂ及びダミー接点ｄを備えている。切換スイッチＳｕ、Ｓｖ，Ｓｗの共通接点ｃは、モータコイルＬｕ、Ｌｖ、Ｌｗの出力端にそれぞれ接続されている。切換スイッチＳｕ、Ｓｖ、Ｓｗのブレーク接点ｂは、相互に接続されている。
【００２２】
切換スイッチＳｕ、Ｓｖのメーク接点ａは、出力端子Ｔ３、Ｔ４にそれぞれ接続されている。切換スイッチＳｕ、Ｓｖのメーク接点ａ間は、コンデンサＣ１が並列接続されている。すなわち、コンデンサＣ１は、切換部８０と出力端子Ｔ３、Ｔ４間において、前記メーク接点ａ間に並列接続されている。出力端子Ｔ３、Ｔ４は、出力線Ｌａ、Ｌｂを介して電気的負荷７０に接続されている。
【００２３】
出力線Ｌａとグランド間には、出力線Ｌａから見て順方向のダイオードＤ１と分圧回路８５の直列回路が接続されている。分圧回路８５の分圧出力は、制御部９０に入力される。また、出力線Ｌｂとグランド間には、出力線Ｌｂから見て順方向のダイオードＤ２と、分圧回路８６の直列回路が接続されている。分圧回路８６の分圧出力は、制御部９０に入力される。
【００２４】
制御部９０は、例えば、ＣＰＵ、ＲＯＭ、ＲＡＭ、入出力ポートなどを有するマイクロコンピュータや各種の回路を含む。前記マイクロコンピュータのＣＰＵは、ＲＯＭに記憶されているプログラムを読み出して、前記三相インバータ２０及び切換部８０を制御する。また、制御部９０は、三相インバータ２０のスイッチング素子Ｓｕｐ，Ｓｖｐ，Ｓｗｐ，Ｓｕｎ，Ｓｖｎ，Ｓｗｎをオンオフ制御するゲートコントローラ（図示しない）を備えている。
【００２５】
（第１実施形態の作用）
本実施形態では、切換部８０の切換スイッチＳｕ、Ｓｖ、Ｓｗの各共通接点ｃは、常にはブレーク接点ｂに接続されていて、モータコイルＬｕ、Ｌｖ、ＬｗをＹ結線に接続しており、すなわち、三相モータ駆動可能状態となっている。この状態で、制御部９０のゲートコントローラは、スイッチング素子Ｓｕｐ，Ｓｖｐ，Ｓｗｐ，Ｓｕｎ，Ｓｖｎ，Ｓｗｎの制御端子に必要なパルス信号を個別に供給し、これにより三相インバータ２０は三相交流電圧を三相モータ３０に出力する。三相モータの駆動制御に関する三相インバータの作動は周知であるので、詳細説明は省略する。このようにして、制御部９０は、切換部８０が三相モータ駆動可能状態に切換えているときは、三相インバータ２０を制御して、直流電力を三相交流電力に変換して前記三相モータを回転させる。
【００２６】
また、制御部９０は、外部から切換信号ｋが入力されたり、或いは、前記プログラムの指令に基づいて、切換部８０のスイッチ切換を行うと、図２に示すように切換スイッチＳｕ、Ｓｖの各共通接点ｃは、メーク接点ａに接続され、スイッチング素子Ｓｗｎの共通接点ｃはダミー接点ｄに接続される。この状態は、単相交流電力出力可能状態である。
【００２７】
この後、制御部９０は、前記ゲートコントローラを通じて三相インバータ２０のスイッチング素子Ｓｗｐ、Ｓｗｎを常時オフし、スイッチング素子Ｓｕｐ、Ｓｖｎからなるペアとスイッチング素子Ｓｖｐ、Ｓｕｎからなるペアを交互にオン、オフして交流電力をモータコイルＬｕ、Ｌｖ、切換部８０を介して電気的負荷７０に出力する。
【００２８】
すなわち、制御部９０は、三相インバータ２０のうち、１つのアーム（スイッチング素子Ｓｗｐ、Ｓｗｎ）をオフした状態で、残りの２つのアームを単相インバータにすることにより、直流電源１０の直流電力を単相交流電力に変換して出力端子Ｔ３、Ｔ４から単相交流電力を出力制御する。ここで、モータコイルＬｕ、Ｌｖ、コンデンサＣ１は、平滑回路を構成して、単相の交流出力波形を滑らかにするフィルタとなる。
【００２９】
また、制御部９０は、分圧回路８５、８６のそれぞれの分圧出力に基づいて、出力端子Ｔ３、Ｔ４から出力される電圧を検出する。また、制御部９０は、検出した電圧、及び、基準電圧指令と比較して、公知の方法により、デューティ比を決定して、ＰＷＭ制御によりゲートコントローラにて前記単相インバータをフィードバック制御する。
【００３０】
本実施形態によれば、以下のような効果を得ることができる。
（１）本実施形態の交流電源回路は、直流電源１０と、モータコイルＬｕ、Ｌｖ、Ｌｗを有する三相モータ３０と、直流電源１０と三相モータ３０との間に接続された三相インバータ２０を有する。また、交流電源回路は、モータコイルＬｕ、Ｌｖ、ＬｗをＹ結線に切換える三相モータ駆動可能状態と、各モータコイルのうち、二相のモータコイルＬｕ、Ｌｖを出力端子Ｔ３、Ｔ４へそれぞれ接続して単相交流電力出力可能状態に切換える切換部８０と、制御部９０を有する。前記制御部９０は、前記三相モータ駆動可能状態のときは、三相インバータ２０を制御して、直流電力を三相交流電力に変換して三相モータ３０を回転させ、前記単相交流電力出力可能状態のときは、三相インバータ２０を制御して、直流電力を単相交流電力に変換して出力端子Ｔ３から単相交流電力を出力制御する。
【００３１】
この結果、三相モータの駆動電源である直流電源を使用して、単相交流電源を造る場合に、専用のインバータを不要にしてコスト低減を図ることができる。また、本実施形態では、三相モータを使用しない時間において、単相の交流電源を取出すことができる。
【００３２】
（２）本実施形態では、切換部８０と出力端子Ｔ３、Ｔ４間にはコンデンサＣ１が並列接続され、コンデンサＣ１と、三相モータ３０の二相のモータコイルＬｕ、Ｌｖにて、フィルタが構成されている。この結果、モータコイルＬｕ、Ｌｖ、コンデンサＣ１は、平滑回路を構成して、単相の交流出力波形を滑らかにすることができる。
【００３３】
（第２実施形態）
次に、第２実施形態の単相交流電源装置を、図３及び図４を参照して説明する。なお、前記第１実施形態と同一構成または相当する構成については、同一符号を付してその説明視を省略し、第１実施形態と異なる構成について説明する。
【００３４】
本実施形態では、三相モータ３０Ａの構成と切換部８０Ａの構成が、第１実施形態の三相モータ３０と、切換部８０とそれぞれ異なっている。
図３に示すように、切換部８０Ａは、切換スイッチＳ１、Ｓ２，Ｓ３を備えている。切換スイッチＳ１は、共通接点ｃ、ブレーク接点ｂ及びダミー接点ｄを備えている。切換スイッチＳ２、Ｓ３は、共通接点ｃ、ブレーク接点ｂ及びメーク接点ａをそれぞれ備えている。
【００３５】
切換スイッチＳ１は、その共通接点ｃが三相インバータ２０の出力端Ｐｕに接続され、ブレーク接点ｂが三相モータ３０ＡのモータコイルＬｖとモータコイルＬｗの接続点に接続されている。切換スイッチＳ２は、その共通接点ｃが、三相モータ３０ＡのモータコイルＬｕの一端に接続され、ブレーク接点ｂがモータコイルＬｗの一端に接続され、メーク接点ａが出力端子Ｔ３に接続されている。切換スイッチＳ２は、共通接点ｃがブレーク接点ｂに接続されることにより、モータコイルＬｕとモータコイルＬｗが接続される。
【００３６】
切換スイッチＳ３は、その共通接点ｃが三相インバータ２０の出力端Ｐｗに接続され、ブレーク接点ｂが、切換スイッチＳ２のブレーク接点ｂと同様にモータコイルＬｗの一端に接続され、メーク接点ａが出力端子Ｔ４に接続されている。
【００３７】
また、三相モータ３０ＡのモータコイルＬｕとモータコイルＬｖの接続点は、三相インバータ２０の出力端Ｐｕに接続されている。
上記のように切換部８０の切換スイッチＳ１、Ｓ２、Ｓ３の各共通接点ｃが、ブレーク接点ｂに接続されていると、三相モータ３０Ａは、デルタ結線となる。
【００３８】
（第２実施形態の作用）
本実施形態では、常には、切換部８０の切換スイッチＳｕ、Ｓｖ、Ｓｗの各共通接点ｃは、ブレーク接点ｂに接続されてデルタ結線となり、すなわち、三相モータ駆動可能状態となっている。この状態で、制御部９０のゲートコントローラは、スイッチング素子Ｓｕｐ，Ｓｖｐ，Ｓｗｐ，Ｓｕｎ，Ｓｖｎ，Ｓｗｎの制御端子に必要なパルス信号を個別に供給し、これにより三相インバータ２０は三相三相交流電圧を三相モータ３０に出力する。
【００３９】
また、制御部９０は、外部から切換信号ｋが入力されたり、或いは、前記プログラムの指令に基づいて、切換部８０のスイッチ切換を行うと、図４に示すように切換スイッチＳ１の共通接点ｃは、ダミー接点ｄに接続され、切換スイッチＳ２、Ｓ３の各共通接点ｃは、メーク接点ａに接続される。この状態は、単相交流電力出力可能状態である。
【００４０】
この後、制御部９０は、前記ゲートコントローラを通じて三相インバータ２０のスイッチング素子Ｓｖｐ、Ｓｖｎを常時オフし、スイッチング素子Ｓｕｐ、Ｓｗｎからなるペアとスイッチング素子Ｓｗｐ、Ｓｕｎからなるペアを交互にオン、オフして交流電力を、モータコイルＬｕ、切換部８０を介して電気的負荷７０に出力する。
【００４１】
すなわち、制御部９０は、三相インバータ２０のうち、１つのアーム（スイッチング素子Ｓｖｐ、Ｓｖｎ）をオフした状態で、残りの２つのアームを備えるフルブリッジ回路を単相インバータにすることにより、直流電源１０の直流電力を単相交流電力に変換して出力端子Ｔ３、Ｔ４から単相交流電力を出力制御する。
【００４２】
ここで、モータコイルＬｕ、コンデンサＣ１は、平滑回路を構成して、単相の交流出力波形を滑らかにするフィルタとなる。
また、制御部９０は、分圧回路８５、８６のそれぞれの分圧出力に基づいて、出力端子Ｔ３、Ｔ４から出力される電圧を検出する。また、制御部９０は、検出した電圧、及び、基準電圧指令と比較して、公知の方法により、デューティ比を決定して、ＰＷＭ制御によりゲートコントローラにて前記単相インバータをフィードバック制御する。
【００４３】
本実施形態によれば、以下のような効果を得ることができる。
（１）本実施形態の交流電源回路は、直流電源１０と、モータコイルＬｕ、Ｌｖ、Ｌｗを有する三相モータ３０Ａと、直流電源１０と三相モータ３０Ａとの間に接続された三相インバータ２０を有する。また、交流電源回路は各モータコイルＬｕ、Ｌｖ、Ｌｗをデルタ結線に切換える三相モータ駆動可能状態と、一相のモータコイルＬｕと、三相インバータ２０に含まれるスイッチング素子のフルブリッジ回路とを一対の出力端子Ｔ３、Ｔ４へそれぞれ接続して単相交流電力出力可能状態に切換える切換部８０Ａと、制御部９０を備える。制御部９０は、三相モータ駆動可能状態のときは、三相インバータ２０を制御して、直流電力を三相交流電力に変換して三相モータ３０Ａを回転させ、単相交流電力出力可能状態のときは、三相インバータ２０のフルブリッジ回路を制御して、直流電力を単相交流電力に変換して出力端子Ｔ３、Ｔ４から単相交流電力を出力制御する。この結果、本実施形態も第１実施形態と同様に三相モータの駆動電源である直流電源を使用して、単相交流電源を造る場合に、専用のインバータを不要にしてコスト低減を図ることができる。また、本実施形態では、三相モータを使用しない時間において、単相の交流電源を取出すことができる。
【００４４】
なお、本実施形態は以下のように変更してもよい。
・前記実施形態では、三相インバータを電圧形インバータで構成したが、電流形インバータで構成してもよい。
【００４５】
・前記実施形態では、切換部８０の切換スイッチＳｕ、Ｓｖ，におけるブレーク接点ｂ及びメーク接点ａを相互に逆の構成にしてもよい。
・前記実施形態では、単相インバータをフィードバック制御で制御したが、オープンループ制御で行ってもよい。
【符号の説明】
【００４６】
１０…直流電源、２０…三相インバータ、３０…三相モータ、
４０…単相交流電源装置、５０…単相インバータ、６０…フィルタ、
７０…電気的負荷、８０…切換部、９０…制御部、
Ｂ…バッテリ、Ｌ１、Ｌ２…コイル、Ｃ、Ｃ１…コンデンサ、
Ｔ１、Ｔ２…端子、Ｔ３、Ｔ４…出力端子、
Ｓｕｐ、Ｓｖｐ、Ｓｗｐ、Ｓｕｎ、Ｓｖｎ、Ｓｗｎ…スイッチング素子、
Ｓｕ、Ｓｖ、Ｓｗ…切換スイッチ、
ａ…メーク接点、ｂ…ブレーク接点、ｃ…共通接点、
Ｄｕｐ、Ｄｖｐ、Ｄｗｐ、Ｄｕｎ、Ｄｖｎ、Ｄｗｎ…フライホイールダイオード、ＬＨ、ＬＬ…直流電源線。
【図１】
2017112686.tif 000003
【図２】
2017112686.tif 000004
【図３】
2017112686.tif 000005
【図４】
2017112686.tif 000006
【図５】
2017112686.tif 000007
【図６】
2017112686.tif 000008